(57)【要約】  本発明は、ディジタル信号の処理、特に、信号の受信時のスペクトル走査に関する。前記処理は、受信された信号に多重搬送波成形フィルタリング（１２）を適用し、このようにフィルタリングされた受信された信号にフーリエ変換（１３）を適用して計算することを含む。本発明は、コンテントの無線通信の文脈における動的スペクトル割り付けに対して長所的に有用である。
2009508423.tif 000002
【特許請求の範囲】
【請求項１】
ディジタル信号の受信時にスペクトル走査する方法であって、フーリエ変換計算（１３）を備え、前記計算は、多重搬送波成形フィルタリングによって先行されることを特徴とする方法。
【請求項２】
多重搬送波成形フィルタは、多相フィルタ（１２）であることを特徴とする請求項１に記載の方法。
【請求項３】
当該方法は、ＯＦＤＭ変調文脈において履行されることを特徴とする請求項１または２に記載の方法。
【請求項４】
フィルタリングは、ＩＯＴＡタイプの成形関数を用いることを特徴とする請求項１乃至３のいずれか１項に記載の方法。
【請求項５】
フーリエ変換の評価及びフィルタリングの後に、予め特定された信号（１５、１６、１７、１８、１９）の識別が行われることを特徴とする請求項１乃至４のいずれか１項に記載の方法。
【請求項６】
−  少なくとも１つの通信設備（７１）が、自由帯域を探索するために周波数のスペクトル走査を行い、行われた走査に従って、スペクトル信号をベース・ステーション（７３）に通信し（７０）、そして
−  前記通信設備及び他の可能な通信設備から受信された信号に従って、ベース・ステーション（７３）が、スペクトルの共通の自由周波数を選択し、該共通の周波数上のコンテントの前記通信設備への通信を開始する（７２）、
コンテントの無線通信における動的スペクトル割付けに適用される請求項１乃至５のいずれか１項に記載の方法。
【請求項７】
受信されたディジタル信号のスペクトル走査のための回路であって、フーリエ変換計算モジュール（５２２）から上流に多重搬送波成形フィルタ・バンク（５２１）を備えることを特徴とするスペクトル走査のための回路。
【請求項８】
計算モジュール（５２２）から下流に、
−  予め限定された特徴規則に基づいて、予め特定された信号の分析及び識別（５３）のためのモジュール、及び
−  受信において及び／または送信において、通信設備の少なくとも１つの動作周波数帯域を示す、前記分析及び識別モジュール（５３）から下流における決定モジュール（５５）、
をさらに備えることを特徴とする請求項７に記載のスペクトル走査のための回路。
【請求項９】
受信されたディジタル信号のスペクトル走査のための回路を備え、該回路は、フーリエ変換計算モジュール（５２２）から下流に多重搬送波成形フィルタ・バンク（５２１）を含むことを特徴とする通信設備。
【請求項１０】
受信された信号をベースバンド（６１）にもたらし、かつスペクトル走査において及び受信において、特に受信された信号を復調するために、の双方において動作するモジュールを、フィルタ・バンク（５２１）からの上流に備えることを特徴とする請求項９に記載の通信設備。
【請求項１１】
復調を有する受信回路及び／または変調を有する送信回路を備えた通信設備であって、該通信設備が、フーリエ変換計算モジュール（５２２）から下流に、分析及び識別モジュール（５３）と、復調において及び／または変調において少なくとも１つの動作周波数帯域を示す決定モジュール（５５；６５）とを備えることを特徴とする請求項９または１０に記載の通信設備。
【請求項１２】
通信システムのベース・ステーションとして動作することを特徴とする請求項９乃至１１のいずれか１項に記載の通信設備。
【請求項１３】
通信システムの端末として動作することを特徴とする請求項９乃至１１のいずれか１項に記載の通信設備。
【請求項１４】
ベース・ステーションとして及び／または端末として請求項９乃至１３のいずれか１項に記載の少なくとも１つの通信設備を備えたことを特徴とする、認知性の（ｃｏｇｎｉｔｉｖｅ）及び周波数機敏性の（ｆｒｅｑｕｅｎｃｙ−ａｇｉｌｅ）通信文脈における、通信システム。
【請求項１５】
ディジタル信号の受信時にスペクトル走査モジュールのメモリから実行可能であり、かつフーリエ変換計算（１３）のための命令を備えたコンピュータ・プログラム・プロダクトであって、フーリエ変換計算（１３）が、多重搬送波成形フィルタリング（１２）によって先行されるようにするための命令をさらに備えることを特徴とするコンピュータ・プログラム・プロダクト。
【請求項１６】
請求項１５に記載のコンピュータ・プログラム・プロダクトを記憶するメモリを備えたことを特徴とするプログラム可能な構成要素。
【発明の詳細な説明】
【技術分野】
【０００１】
本発明は、無線または有線の文脈における、特に、ディジタル通信設備のための精巧なスペクトル特性付けに関する。
【０００２】
本発明は、制限的ではないが、ＯＦＤＭ変調通信において、特に、認知性の（経験的知識に基づく（ｃｏｇｎｉｔｉｖｅ））及び周波数機敏性の（周波数可変能力のある（ｆｒｅｑｕｅｎｃｙ−ａｇｉｌｅ））通信において、有利な応用を見つける。
【背景技術】
【０００３】
用語「認知性の通信」は、英語の用語「コグニティブ無線（ｃｏｇｎｉｔｉｖｅ  ｒａｄｉｏ）」から導出されたものであり、設備が、広範囲の周波数（例えば、数ＧＨｚ、それ故、用語「周波数機敏性の」も）に渡って周波数を動的に変化させることができる知能通信を指す。
【０００４】
さらに、ＯＦＤＭ変調（「直交周波数分割多重」を表す）は、高いビットレートのバイナリ列を、多数の低いビットレートの変調された列（またはチャンネル）に分割するために用いられることが思い起こされる。これらのサブチャンネルの各々は、異なった周波数によって変調され、周波数間の間隔は一定のままである。これらの周波数は、ＯＦＤＭ信号スペクトルが、割り当てられた帯域において最適な占有を有する直交ベースを構成する。従って、ＯＦＤＭ変調は、一連の直交の低ビットレート変調された副搬送波に渡って高ビットレートを配分する。これらの副搬送波は、概して、狭い周波数帯域を用いる。
【発明の開示】
【発明が解決しようとする課題】
【０００５】
本発明の目的の１つは、通信設備が：
−  例えば、ＯＦＤＭの文脈において、この設備がそれ自体で動作することができる周波数の範囲に渡ってスペクトルの占有率を測定して特徴付けること；及び
−  通信に従って働くべき帯域上の必要性及びスペクトル分析を決定すること、
を優先的に可能とすることである。
【課題を解決するための手段】
【０００６】
従って、本発明は、特に、認知性の（ｃｏｇｎｉｔｉｖｅ）及び周波数機敏性の（ｆｒｅｑｕｅｎｃｙ−ａｇｉｌｅ）通信設備のための周波数の精巧なスペクトル特性付けを提供する。それはこの目的のためにスペクトル走査を用いる。しかしながら、本願は、スペクトルにおける自由帯域を探索するために、または干渉を検出するために、等のいずれかのために、一般的な方法で、スペクトルを通して走行する動作を意味するよう、用語「走査」を用いている。
【０００７】
決定システムと関連したスペクトル走査が、特に、ＷＯ−９６／１０３００のような文献において提案されている。
【０００８】
ディジタル・スペクトル走査は、特に、周波数帯域及び高速フーリエ変換（もしくは、以後“ＦＦＴ”）におけるディジタル・サンプルの獲得でもって、一般に、フーリエ変換の助けを借りて行われる。ＦＦＴの結果は、考慮される帯域における信号スペクトルに対応する。
【０００９】
しかしながら、単純なＦＦＴによる分析は、存在するスペクトルを忠実に表さず、従って、対応する信号の信頼できる識別及び特性付けを可能としない。この欠点に対する可能な理由の１つは、時間分析に対する矩形のウインドウと関連するであろう。走査ＦＦＴ搬送波周波数の１つと正確にマッチしない周波数を有する純粋な正弦波は、一片の設備からもう一片まで制御可能でも無く予測可能でも無い最も強い搬送波のエネルギとの比において、多くの搬送波に渡ってエネルギを戻す。
【００１０】
さらに、通常のスペクトル分析は、主に以下の理由のために、極端に費用がかかるものである：
−  それは、非常に広い範囲の周波数をカバーしなければならない、
−  それは、可変の解像度（ｒｅｓｏｌｕｔｉｏｎｓ）をカバーしなければならない、
−  最後に、それは、多くのパラメータに従って測定されたスペクトルを提起する機能を有する。
【００１１】
本発明は、このような状況を改善することを目的とする。
【００１２】
このため、スペクトル走査のために、本発明は、考慮される帯域上に信号が存在するか否かを、得られた結果に従って決定するために、そして必要な場合には、それを精巧に特性付ける（信号の性質、パターン、レベル、等）ために、多重搬送波成形フィルタリング（成形フィルタリングは搬送波の各々上で行われる）によって高速フーリエ変換計算に先行することを提案する。
【００１３】
一層一般的な用語においては、本発明は、主に、ディジタル信号の受信時のスペクトル走査の方法に対して意図されており、この方法は、フーリエ変換計算を含む。本発明によれば、この計算は、多重搬送波成形フィルタリングによって先行される。
【００１４】
長所的には、多重搬送波成形フィルタの態様の実施形態は、多相フィルタである。
【００１５】
従って、本発明の利点の１つによれば、同じ設備に対して、または設備の幾つかの具体例に対して、時間に渡って再生可能な及び決定的な方法において、周囲スペクトルの成分を精巧に特性付けることが可能である。
【００１６】
本発明のもう１つの利点によれば、本発明によるスペクトル走査と、ディジタル信号を受信する通常の段、特に受信された信号の復調、との双方を行うことができるように、通信設備内にすでに存在するフィルタ・バンクを有する多重搬送波受信回路（チェーン）を利用することが可能である。それにもかかわらず、この方法は、有利ではあるけれども、必須なものでは無い。
【００１７】
従って、本発明は、フーリエ変換計算モジュールから上流の多重搬送波成形フィルタ・バンクと、考慮されるスペクトルにおいて信号が存在するか否かを、そして必要な場合には、その特性付けを決定するための、優先的には、識別モジュールと、を含むかかる回路（チェーン）を備える通信設備と一緒に、本発明によるスペクトル走査回路（チェーン）に対しても意図されている。以下の詳細な説明は、このような信号検出の実施形態の例を示しており、この信号は、予め特定されている（そのスペクトル特性（ｓｉｇｎａｔｕｒｅ）は、説明される例において既知である）。
【００１８】
本発明は、また、本発明による通信設備として少なくとも１つのベース・ステーション及び／または少なくとも１つの端末を利用する、長所的には認知性の（ｃｏｇｎｉｔｉｖｅ）及び周波数機敏性の（ｆｒｅｑｕｅｎｃｙ−ａｇｉｌｅ）通信文脈における、通信システムと一緒に、本発明によるスペクトル走査回路（チェーン）を備えた通信設備（例えば、ベース・ステーションまたは端末）に対しても意図されている。
【００１９】
本発明は、長所的には、予め創設された信号特性（ｓｉｇｎａｔｕｒｅ）、これらの信号を特徴付けて検出するための規則、及び、特に、本発明を履行するためのコンピュータ・プログラムを用い得る。本発明は、また、このようなコンピュータ・プログラム、並びに、このようなプログラムを記憶するメモリを含むプログラム可能な構成要素（例えば、集積回路、ＤＳＰモジュール、等）に対しても意図されている。このような構成要素または集積回路は、前述の走査回路（チェーン）だけを含んでいても良く、または走査回路（チェーン）を通信設備手段のすべてまたは部分と組み合わせて含んでいても良い。
【００２０】
本発明の他の特徴及び利点は、以下の詳細な説明及び添付図面を精細に吟味することで分かってくるであろう。
【発明を実施するための最良の形態】
【００２１】
以下の詳細な説明において、例として与えられる本発明の文脈は、ＩＯＴＡ多相多重搬送波成形によってフィルタリングされたＯＦＤＭ復調による走査である。原理は、また、（ナイキスト多相多重搬送波成形を含む）任意の他の多重搬送波成形に適用される。
【００２２】
この処理は、受信されたディジタル信号に適用される。この信号は、従って、直接ディジタル形態（例えば、ディジタル同報通信またはディジタル・テレビジョン信号のような通信における）で受信され得る。変形例として、それは、また、アナログ形態で受信され、次に、ディジタル化される信号をも含み得る。
【００２３】
以下の詳細な説明は、以下の表記法を用いる：
−  Ｌは、スペクトル走査（例えば、ＩＯＴＡ、ナイキスト、または他の型の関数）のために用いられる多相フィルタの成形関数のトランケーション（切捨て）長さである；
−  Ｍは、ＯＦＤＭ／ＩＯＴＡ変調におけるシンボルの期間に等価な期間からの時間サンプルの数である；
−  Ｎは、走査において提供される副搬送波の数である（走査された全帯域から分析の解像度を設定することが可能であるということが理解される）；
−  Ｇｋは、成形関数の時間サンプルである；
−  ｒｋは、分析帯域において受信された信号の時間サンプルである；
−  Ｒｋは、この信号からフィルタリングされた時間サンプルである；そして
−  ａｍは、周波数領域におけるこの信号の係数である。
【００２４】
図１を参照すると、無線周波数信号Ｓｒは、アンテナ１０によってピックアップされる。代表的には適切に広い周波数帯域（例えば、数メガヘルツ）である信号の部分は、通常、信号Ｓｒの正確な帯域ｉを「選択する」ことに相当する、チューナ・モジュール１１によってベースバンドに下方にもたらされる。モジュール１１の出力は、一連のサンプルｒｋを出力し、該サンプルは、次に、以下の一般式に従って、多相成形フィルタ１２に与えられる。
【００２５】
【数１】
2009508423.tif 000003
【００２６】
このようにフィルタリングされたサンプルＲｋは、次に、計算モジュール１３に与えられ、該計算モジュールは、式
【数２】
2009508423.tif 000004
に従ってそれらのフーリエ変換を評価する。
【００２７】
決定モジュール１４は、このように評価された係数ａｍ＋２ｎＭに基づいて、信号Ｓｒのスペクトルの評価を得る。この情報は、それ自体すでに有用である。
【００２８】
次に、（例えば、メモリ・モジュールから派生する）前もって知られているスペクトル特性（ｓｉｇｎａｔｕｒｅ）ＳＩＧＮ−ｊを有する信号ｊを検出するために、図２に例として示されたもののような処理が長所的に提供され得る。
【００２９】
特に、以下の形態の処理の１つまたはこれらの形態の処理の組み合わせを適用させるための提供が行われる：
−  全体特性（ｓｉｇｎａｔｕｒｅ）にまたはこの特性（ｓｉｇｎａｔｕｒｅ）の一連の副部分に関係して全体的なテスト規準１６（またはそれぞれ一連のテスト）を通過する相関関数でもって、評価されたスペクトル（すなわち、係数ａｍ＋２ｎＭ）を追求後の信号のスペクトル特性（ｓｉｇｎａｔｕｒｅ）と相関させ、
−  副搬送波の１つのエネルギが或る閾値ＴＨＲｅを横切るか否かを観察することに相当し、かつ
|ａｍ＋２ｎＭ|＞ＴＨＲｅ、ここに、ｍ＋２ｎＭは、図２のテスト・モジュール１７において既知のパイロット周波数に設定される、
によって表現される既知のパイロット周波数を探索し、
−  （例えば、係数|ａｍ＋２ｎＭ|の合計ＳＵＭまたはそれらの二乗|ａｍ＋２ｎＭ|２を計算することによって）与えられた帯域上にパワースペクトル密度を集積し、そしてパワースペクトル密度が閾値ＴＨＲｐを横切るか否かを見るために（図２におけるテスト・モジュール１８）調べる。
【００３０】
テストまたは一連のテストが満足されないならば（テスト出力におけるｋｏ矢印）、処理は以下の信号特性（ｓｉｇｎａｔｕｒｅ）に対して反復され得る（モジュール２０及び１５）。
【００３１】
他方、テストまたは複数のテストが肯定を示すならば（テスト出力におけるｏｋ矢印）、決定モジュール１９は、スペクトル特性（ｓｉｇｎａｔｕｒｅ）ＳＩＧＮ−ｊの信号ｊの決定を報告する。信号対雑音比を改善するために、異なったシンボルに対して計算が反復され得る。
【００３２】
このように、一層一般的な項において、本発明によるフーリエ変換のフィルタリング及び評価は、長所的に、予め特定された信号の識別によって後続される。
【００３３】
本発明によるスペクトル走査回路（チェーン）の動作が、以下の例において説明され、それにおいて、ＦＦＴ計算の前に行われる多相フィルタリング成形作用は、ＯＦＤＭ変調技術において良く知られているＩＯＴＡ（等方性直交変換アルゴリズムの略語）作用であり、そのグラフが図３に示されている。
【００３４】
説明された例において、テスト条件は以下の通りである：
−  Ｍ＝２５６、
−  Ｌ＝４、
−  ｒは純粋な正弦波である（インターキャリアの差に対して受信処理ＦＦＴ搬送波のいずれか１つに関する０；１；１０；４０％の周波数オフセットを表示する）、
−  ｇはＩＯＴＡ作用である（図３）。
【００３５】
４つの図、図４Ａ乃至図４Ｄは、次に、：
−  本発明により、ＦＦＴ計算の前にＩＯＴＡによりフィルタリングを追加することによるスペクトル評価、及び
−  単純なＦＦＴでの通常のスペクトル評価、
を、それぞれ、走査処理ＦＦＴ搬送波に関する０；１；１０；４０％の純粋な正弦波の周波数オフセット（ｆｒｅｑｕｅｎｃｙ  ｏｆｆｓｅｔｓ）に対して比較する。
【００３６】
通常のＦＦＴを有する信号スペクトルは、点線で示され、ＩＯＴＡ＋ＦＦＴ処理を有する信号のスペクトルは、実線で示される。
【００３７】
これらの４つの図、図４Ａ乃至図４Ｄは、通常のＦＦＴ方法と比較して、フィルタ・バンクによる精巧なスペクトル分析の優越性を良く示している。特に、単純なＦＦＴ（ｓｉｍｐｌｅ  ＦＦＴ）の場合における幾つかの副搬送波に渡る周波数の分散が、図４Ｂ、４Ｃ及び４Ｄに明瞭に明白であり、他方、本発明によるＩＯＴＡ＋ＦＦＴ処理に対しては、エネルギは、単一の副搬送波上に集中される。
【００３８】
図４Ａは、純粋な正弦波が、ＦＦＴから帰結する搬送波の１つと完全に同相である特別の場合を示す。
【００３９】
以下の式
【数３】
2009508423.tif 000005
に従って場所係数Ｌを限定することにより、本発明（ＩＯＴＡ＋ＦＦＴ）による処理と通常の処理（単純なＦＦＴ）との、周波数場所に関しての動作を比較する以下の表は、本発明による処理の優越性を示している。
【表１】
2009508423.tif 000006
もちろん、係数Ｌが小さければ小さいほど、一層精巧なスペクトルが特徴付けられる。
【００４０】
模擬は、ＩＯＴＡ＋ＦＦＴ走査が純粋正弦波を一層忠実に再現するということ、及びそれが正弦波と走査処理ＦＦＴ搬送波との間の周波数オフセットに対して一層感度が低いということ、を示す。（ここでは純粋ライン上に為される）この観察は、任意の信号に対して広く適用可能であり得る。従って、本発明の履行は、存在する信号が一層忠実にかつ一層決定論的に特性付けられるのを可能とするということが理解されるであろう。
【００４１】
文献：
“Fraction Space Multi-Carrier modulation”，R. Vallet and K.H. Taieb, Wireless Personal Communications 2, 97-103, 1995  は、フーリエ変換計算の前に多重搬送波成形フィルタリングを行うことにある理論的方法を記載している。
【００４２】
本発明は、この実際に既知の方法を用いているが、受信されたディジタル信号のスペクトル走査を行うために用いているものであり、このことは、上述の文献にはいささかも開示されていない。この新しい使用の驚くべき利点は、例えば、前述した純粋な正弦波の、忠実な再生を提供することである。この忠実な再生は、さらに、正弦波と走査処理ＦＦＴ搬送波との間の周波数オフセットに対してほとんど感度を持たないという利点を提供する。上述の表は、明らかに、ＩＯＴＡ＋ＦＦＴ走査でもって、場所係数Ｌが実際に一定である（ほぼ−３５ｄＢ、動作限界値に対応する４０％のオフセットを除けば、この後者の曖昧さは、同じ走査であるがインターキャリアの半分の距離だけ周波数におけるオフセットを適用することにより、必要に応じて解決され得る）ということを示す。成形することなく、通常のＦＦＴ走査でもって、この係数Ｌは相当に変るということも思い起こされる。従って、ＩＯＴＡ＋ＦＦＴ走査は、測定されたパターンにおける安定性を可能とする。
【００４３】
この安定性のおかげで、後で分かるように、以下のことが限定され得る：
−  この走査方法に基づく測定方法論、
−  自由周波数上の検出及び動作の規則、及び
−  これらの規則の標準への導入。
【００４４】
前述のＶａｌｌｅｔ等の文献においては、成形フィルタリングの既知の方法を用い、その後に、周波数オフセットに対する感度を少なくする目的で、受信された信号のスペクトル走査を行うためのフーリエ変換計算が行われるということに、当業者を鼓舞するための誘因がない。
【００４５】
さて、一片の通信設備における本発明による処理回路（チェーン）の履行を図５及び６を参照して説明する。
【００４６】
図５を参照すると、第１の態様の実施形態において、設備は、例えば：
−  受信された信号を、アンテナ５０から下流に配列されたベースバンドにもたらし、設備によって動作可能な周波数の範囲を包摂するチューナ５１、
−  ＦＦＴ５２２と、それに先行して、周波数が（成形、またはＩＯＴＡまたはナイキスト多重搬送波プロトタイプ、作用を履行することによって）隔離されるのを可能とする多相フィルタ５２１とから構成されるディジタル・フィルタ５２のバンク、
を含む。
【００４７】
図４Ａ乃至４Ｄを参照して前述したように、成形フィルタにおける利益は、受信されたスペクトルを忠実に再生することにあり、ＦＦＴ動作だけの直交の制約から自由にされることによって、ＦＦＴ搬送波上の相対レベルが尊重される。
【００４８】
従って、この処理回路（チェーン）は、周囲スペクトル走査を行ってスペクトル成分を忠実に測定するために用いられ得る。このように、分析帯域Ｗにおける測定可能なノイズのレベル以上のＸｄＢにおける純粋ラインが、ノイズを解像度Ｗと一体化するＦＦＴ搬送波のレベル以上のＸｄＢを有するこの処理回路（チェーン）から帰結する。
【００４９】
再度、図５を参照すると、前述した処理回路（チェーン）５１−５２の後には、分析及び決定回路（チェーン）５３−５５が続き得、該、分析及び決定回路（チェーン）５３−５５は、
−  ＊  一組の特性及び決定を行う規則、
＊  一組の測定条件、及び
＊  一組の“特性（ｓｉｇｎａｔｕｒｅ）”または記録されたパターン、
を記憶するメモリ・モジュール５４（静的または長所的には更新可能である）、
−  上述の特性規則及び行われた測定を用いて、受信された信号を識別して特徴付けるためのスペクトル分析モジュール５３、及び
−  先に検出されて特徴付けられた信号に従って周波数帯域上で動的に動作させるよう上述の規則に基づいた決定または決定支援モジュール５５、
を備える。
【００５０】
図５を参照して、本発明による通信設備の関連要素の説明を続けると、設備受信回路（チェーン）は、
−  受信された所望の信号の周波数で動作するチューナ５６、ここに、この周波数は決定モジュール５５によって決定されている、そして
−  受信されたデータＤＡＴＡＲに最終的にアクセスするための所望の信号の復調器５７、
を備える。
【００５１】
設備はさらに送信回路（チェーン）を備える。この回路（チェーン）は、送信されるべきデータＤＡＴＡＴを含む所望の信号の周波数で動作する変調器５８を含む。この周波数は、長所的には、決定モジュール５５によって決定される。変調器５８の後には、所望の信号の送信前に所望の信号の分析のためのモジュール５９が続く。
【００５２】
第２の態様の実施形態においては、所望の信号の受信上のスペクトル走査回路（チェーン）及び復調回路（チェーン）は、長所的には、大部分の要素を共通に含む。実際、この第２の態様の実施形態においては、所望の信号の走査及び復調の作用は、時間に渡って分離している。復調は、１つの時間セグメント中に行われ、他方、スペクトル走査は、もう１つの時間セグメント中に行われる。
【００５３】
図６は、この第２の態様の実施形態を示しており、それにおいて、図５と共通の要素は、同じ参照を有する。長所的には、この第２の態様の実施形態の履行は、図５に示された復調回路（チェーン）のチューナ５６を節約するのを可能とする。図６におけるチューナ６１は、受信された信号をベースバンドにもたらし、次に、スペクトル走査において及び受信において、特に受信された信号を復調するため、の双方で動作する。決定モジュール６５は、長所的には、このチューナ６１を制御し得る。
【００５４】
さらに、もし、所望の信号復調器がＦＦＴ計算を行うならば、もしくはＦＦＴ計算に先立って多重搬送波のフィルタリングをも行うならば、次に、走査処理ハードウェアのアーキテクチャ（モジュール５２）のすべてまたは部分は、所望の信号の復調処理と“相互的に”（すなわち、共用）され得る。最後に、非−“相互可能”処理を確実にするために、それは、ＦＦＴから来る複素シンボルの復調を代表的には確実にするＦＦＴ計算モジュール５２２からの下流に、所望の信号のこの処理のための追加のモジュール６７（図６）を加えることが残っている。
【００５５】
長所的には、本発明による処理は、このように、通信設備において前述した履行に基づいて、かつ信号を特徴付けるための規則及び決定を詳しく述べることにより、特に、決定回路（チェーン）によって決定される送信のための所望の信号の適切な周波数を制御することにより、認知性の（ｃｏｇｎｉｔｉｖｅ）及び周波数機敏性の（ｆｒｅｑｕｅｎｃｙ−ａｇｉｌｅ）通信の機能を可能とする。
【００５６】
例えば、図７を参照して、コンテント（テレビジョン・コンテントのような）の認知性の（ｃｏｇｎｉｔｉｖｅ）無線通信のための適用において、一層詳細には、代表的には標準ＩＥＥＥ８０２．２２による便宜主義的な無線通信の文脈における動的スペクトル割付けに対して：
−  ユーザの自由になる端末タイプの片の通信設備７１は、本発明によるスペクトル走査を行い、テレビジョン周波数スペクトルにおける自由帯域（代表的には、認知性の（ｃｏｇｎｉｔｉｖｅ）無線通信のためのＴＶバンドを自由にする文脈における）を探索し、そしてアナログ及びディジタル・テレビジョン送信を検出し得、
−  スペクトル情報は、すべての端末から受信された情報を一緒に併合するベース・ステーション７３に通信され得（矢印７０）、そして
−  ベース・ステーション７３は、それがコンテントを送信することができるＴＶスペクトルにおける自由周波数を選択し、それにより、通信が、次に、この周波数上で開始され得る（矢印７２及び点線）。
【００５７】
もう１つの適用は、副搬送波が少なくともスペクトルの大部分を包摂することができる全体的な認知性の（ｃｏｇｎｉｔｉｖｅ）無線通信システムであることができ、かつ以前のユーザを妨害すること無く各ユーザに割り当てられることができる。
【図面の簡単な説明】
【００５８】
【図１】フィルタリングによって先行されるＦＦＴ計算を介するスペクトル走査を有する、本発明による処理を示す図である。
【図２】長所的には図１における処理に後続して良い既知の特性（ｓｉｇｎａｔｕｒｅ）の信号の検出を図式的に示す図である。
【図３】長所的な例の実施形態において、ＦＦＴ計算の前に行われる多相フィルタ・バンク成形作用としてのＩＯＴＡ作用を示すグラフ図である。
【図４Ａ】ＦＦＴ（実線）の前にＩＯＴＡ作用によるフィルタリングを追加することによる、本発明によるスペクトル評価と、単純なＦＦＴ（点線）を有する通常のスペクトル評価との間の比較を示す図である。
【図４Ｂ】ＦＦＴ（実線）の前にＩＯＴＡ作用によるフィルタリングを追加することによる、本発明によるスペクトル評価と、単純なＦＦＴ（点線）を有する通常のスペクトル評価との間の比較を示す図である。
【図４Ｃ】ＦＦＴ（実線）の前にＩＯＴＡ作用によるフィルタリングを追加することによる、本発明によるスペクトル評価と、単純なＦＦＴ（点線）を有する通常のスペクトル評価との間の比較を示す図である。
【図４Ｄ】ＦＦＴ（実線）の前にＩＯＴＡ作用によるフィルタリングを追加することによる、本発明によるスペクトル評価と、単純なＦＦＴ（点線）を有する通常のスペクトル評価との間の比較を示す図である。
【図５】所望の信号を復調するための回路（チェーン）と走査回路（チェーン）とが離れている、本発明による処理を履行する一片の通信設備の第１の可能な態様の実施形態を示す図である。
【図６】長所的には、所望の信号を復調するための回路（チェーン）と走査回路（チェーン）とが共通であるが同時には動作しない、本発明による処理を履行する一片の通信設備の第２の可能な態様の実施形態を示す図である。
【図７】コンテントの無線通信の文脈における動的スペクトル割付けへの、本発明による方法の適用を示す図である。
【符号の説明】
【００５９】
５０      アンテナ
５１      チューナ
５２      ディジタル・フィルタ
５３      スペクトル分析モジュール
５４      メモリ・モジュール
５５      決定支援モジュール
５６      チューナ
５７      復調器
５８      変調器
５９      信号分析モジュール
６１      チューナ
６５      決定モジュール
５２１      多相フィルタ
５２２      ＦＦＴ
【図１】
2009508423.tif 000007
【図２】
2009508423.tif 000008
【図３】
2009508423.tif 000009
【図４Ａ】
2009508423.tif 000010
【図４Ｂ】
2009508423.tif 000011
【図４Ｃ】
2009508423.tif 000012
【図４Ｄ】
2009508423.tif 000013
【図５】
2009508423.tif 000014
【図６】
2009508423.tif 000015
【図７】
2009508423.tif 000016
【国際調査報告】
2009508423.tif 000017
2009508423.tif 000018
2009508423.tif 000019
2009508423.tif 000020
2009508423.tif 000021
2009508423.tif 000022